(57)【特許請求の範囲】
【請求項１】
放出された媒体の先端を衝突させる媒体衝突面に、当該媒体の放出方向に直交する当該媒体の幅方向に刻設され当該先端を支持し互いに異なる大きさでなる複数の切欠溝を当該媒体が集積される方向にほぼ沿って並ぶよう設けた媒体支持部と、
上記切欠溝に支持された上記媒体を収容する媒体収容部と
を具えることを特徴とする媒体集積装置
【請求項２】
上記媒体支持部は、
１の上記切欠溝の下方に当該切欠溝よりも大きい上記切欠溝が形成されている
ことを特徴とする請求項１に記載の媒体集積装置。
【請求項３】
上記媒体支持部は、
上方から下方に向かうに連れて大きくなる複数の上記切欠溝が形成されている
ことを特徴とする請求項２に記載の媒体集積装置。
【請求項４】
上記媒体支持部は、
１の上記切欠溝の下方に当該切欠溝よりも溝高さが大きい上記切欠溝が形成されている
ことを特徴とする請求項２に記載の媒体集積装置。
【請求項５】
上記媒体支持部は、
上方から下方に向かうに連れて溝高さが大きくなる複数の上記切欠溝が形成されている
ことを特徴とする請求項３に記載の媒体集積装置。
【請求項６】
上記媒体支持部は、
１の上記切欠溝の下方に当該切欠溝よりも溝深さが大きい上記切欠溝が形成されている
ことを特徴とする請求項２に記載の媒体集積装置。
【請求項７】
媒体を放出する媒体放出部と、
放出された上記媒体の先端を衝突させる媒体衝突面に、当該媒体の放出方向に直交する当該媒体の幅方向に刻設され当該先端を支持し互いに異なる大きさでなる複数の切欠溝を当該媒体が集積される方向にほぼ沿って並ぶよう設けた媒体支持部と、
上記切欠溝に支持された上記媒体を収容する媒体収容部と
上記媒体収容部に収容された上記媒体を繰り出す媒体繰出部と、
上記媒体放出部に対し上記媒体を搬送すると共に、上記媒体繰出部から繰り出された上記媒体を搬送する媒体搬送路と
を具えることを特徴とする媒体処理装置。
【発明の詳細な説明】
【技術分野】
【０００１】
本発明は、媒体集積装置及び媒体処理装置に関し、例えば現金等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
この現金自動預払機は、出金取引において、図１３に示すように、紙幣ＢＬを一時的に蓄積する空間を有する紙幣プール２４の開口部２５を水平方向に位置させ、出金紙幣搬送路７ｂから短辺方向に沿って搬送された紙幣ＢＬを集積する。続いて現金自動預払機は、紙幣プール２４を回動させて開口部２５を上方へ向け、顧客に対し現金を受け渡す。
【０００４】
このような現金自動預払機においては、出金紙幣搬送路７ｂから搬送された紙幣ＢＬを確実に集積し、また紙幣ＢＬに傷が付くことを防止するため、搬送された紙幣ＢＬを衝突させるビルストッパ６２３を紙幣プール２４に設けているものがある。
【０００５】
この現金自動預払機は、集積ローラ２２により出金紙幣搬送路７ｂから放出させた紙幣ＢＬの先端がビルストッパ６２３の紙幣衝突面６２７に衝突すると、紙幣ＢＬの後端部分を舌片２８で叩き落とすことにより、後続の紙幣ＢＬが紙幣プール２４内へ送り出される前に紙幣ＢＬを集積する。
【０００６】
このような現金自動預払機においては、放出された勢い等により紙幣の先端部分が垂れ下がることがある。このとき、仮に紙幣衝突面６２７が全面にわたって平坦であった場合、紙幣ＢＬが紙幣衝突面６２７に衝突した際に滑り落ちてしまうことにより、舌片２８の回転軌道から外れてしまい、正常に叩き落とされない可能性がある。
【０００７】
そのような場合、集積ローラ２２から高速に順次放出される紙幣ＢＬが紙幣衝突面６２７を滑り落ちて自然落下している間に、当該紙幣ＢＬの後端部分に、放出された後続の紙幣ＢＬの先端部分が衝突してしまい、集積不良を発生させてしまうことがある。
【０００８】
それに対し、図１４に示すようにビルストッパ６２３の紙幣衝突面６２７において紙幣ＢＬの面が伸びている方向である面方向に延在する切欠溝６５０を上下方向に複数本並べて刻設し、紙幣ＢＬの先端を当該切欠溝６５０に引っ掛けることにより、紙幣ＢＬの先端が垂れ下がることを防止する現金自動預払機が提案されている。（例えば、特許文献１参照）。
【先行技術文献】
【特許文献】
【０００９】
【特許文献１】特開平１１−７９５２５号公報（第４図）
【発明の概要】
【発明が解決しようとする課題】
【００１０】
しかしながらビルストッパ６２３は、全ての切欠溝６５０が同一の大きさの断面形状で刻設されている。このため仮に、先端がめくれていたり短辺方向にカールしていたりする異常紙幣が、図１４に示すように１つの切欠溝６５０ｃに引っ掛からなかった場合、その切欠溝６５０ｃの下方に設けられた切欠溝６５０ｄ及び６５０ｅにも引っ掛からない可能性が高い。
【００１１】
このため、紙幣衝突面６２７に衝突した紙幣ＢＬが当該紙幣衝突面６２７を滑り落ちて舌片２８により叩き落とされず、集積不良が発生してしまうおそれがある。
【００１２】
本発明は以上の点を考慮してなされたもので、媒体の集積不良を防ぎ、信頼性を格段に高め得る媒体集積装置及び媒体処理装置を提案しようとするものである。
【課題を解決するための手段】
【００１３】
かかる課題を解決するため本発明の媒体集積装置においては、放出された媒体の先端を衝突させる媒体衝突面に、当該媒体の放出方向に直交する当該媒体の幅方向に沿って刻設され当該先端を支持し互いに異なる大きさでなる複数の切欠溝を当該媒体が集積される方向にほぼ沿って並ぶよう設けた媒体支持部と、切欠溝に支持された媒体を収容する媒体収容部とを設けるようにした。
【００１４】
この媒体集積装置は、一方の切欠溝では支持できなかった媒体を、当該一方の切欠溝とは大きさの異なる他方の切欠溝で支持することができ、媒体の先端が垂れ下がることを抑止することができる。
【００１５】
また本発明の媒体処理装置においては、媒体を放出する媒体放出部と、放出された媒体の先端を衝突させる媒体衝突面に、当該媒体の放出方向に直交する当該媒体の幅方向に沿って刻設され当該媒体の先端を支持し互いに異なる大きさでなる複数の切欠溝を当該媒体が集積される方向にほぼ沿って並ぶよう設けた媒体支持部と、切欠溝に支持された媒体を収容する媒体収容部と、媒体収容部に収容された媒体を繰り出す媒体繰出部と、媒体放出部に対し媒体を搬送すると共に、媒体繰出部から繰り出された媒体を搬送する媒体搬送路とを設けるようにした。
【００１６】
この媒体処理装置は、一方の切欠溝では支持できなかった媒体を、当該一方の切欠溝とは大きさの異なる他方の切欠溝で支持することができ、媒体の先端が垂れ下がることを抑止することができる。
【発明の効果】
【００１７】
本発明によれば、一方の切欠溝では支持できなかった媒体を、当該一方の切欠溝とは大きさの異なる他方の切欠溝で支持することができ、媒体の先端が垂れ下がることを抑止することができる。かくして本発明は、媒体の集積不良を防ぎ、信頼性を格段に高め得る媒体集積装置及び媒体処理装置を実現できる。
【図面の簡単な説明】
【００１８】
【図１】第１及び第２の実施の形態による現金自動預払機の外観構成を示す略線的斜視図である。
【図２】第１及び第２の実施の形態による現金自動預払機の内部構成を示す略線図である。
【図３】第１の実施の形態による紙幣プール部の構成（１）を示す略線的断面図である。
【図４】第１の実施の形態による紙幣プール部の構成（２）を示す略線的図である。
【図５】第１の実施の形態によるビルストッパの構成（１）を示す略線的断面図である。
【図６】第１の実施の形態によるビルストッパの構成（２）を示す略線的部分斜視図である。
【図７】第１の実施の形態によるビルストッパと紙幣の動きを示す略線的断面図である。
【図８】第２の実施の形態によるビルストッパの構成を示す略線的断面図である。
【図９】他の実施の形態によるビルストッパの構成（１）を示す略線的断面図である。
【図１０】他の実施の形態によるビルストッパの構成（２）を示す略線的断面図である。
【図１１】他の実施の形態によるビルストッパの構成（３）を示す略線的断面図である。
【図１２】他の実施の形態によるビルストッパの構成（４）を示す略線的断面図である。
【図１３】従来の紙幣プール部の構成を示す略線的断面図である。
【図１４】従来のビルストッパの構成を示す略線的断面図である。
【発明を実施するための形態】
【００１９】
以下、発明を実施するための形態（以下実施の形態とする）について、図面を用いて詳細に説明する。
【００２０】
＜１．第１の実施の形態＞
［１−１．現金自動預払機の全体構成］
図１に外観を示すように、現金自動預払機１は、箱状の筐体２を中心に構成されており、顧客との間で現金に関する取引を行うようになされている。
【００２１】
筐体２は、その前面２Ａ側に顧客が対峙した状態で紙幣の投入やタッチパネルによる操作等をしやすい箇所、すなわち前面２Ａの上部から上面に渡る箇所に、接客部３が設けられている。
【００２２】
接客部３は、顧客との間で現金や通帳等を直接やり取りすると共に、取引に関する情報の通知や操作指示の受付を行うようになされており、硬貨入出金口１１、紙幣入出金口１２、通帳挿入口１３、カード挿入口１４及び表示操作部１５が設けられている。
【００２３】
硬貨入出金口１１及び紙幣入出金口１２は、顧客が入金する硬貨及び紙幣がそれぞれ投入されると共に、顧客へ出金する硬貨及び紙幣がそれぞれ排出される部分である。また硬貨入出金口１１及び紙幣入出金口１２は、それぞれに設けられたシャッタを駆動することにより開放又は閉塞するようになされている。因みに紙幣は、例えば長方形の紙で構成されており、形状がカールしていたり、端部がめくれていたりする場合もある。
【００２４】
通帳挿入口１３は、取引で使用される通帳が挿入され、取引が終了すると通帳が排出される部分である。この通帳挿入口１３の奥部には、取引内容等を通帳に記録する通帳処理部（図示せず）が設けられている。
【００２５】
カード挿入口１４は、キャッシュカード等の各種カードが挿入又は排出される部分である。カード挿入口１４の奥部には、各種カードに磁気記録された口座番号等の読み取りを行うカード処理部（図示せず）が設けられている。
【００２６】
表示操作部１５は、取引に際して操作画面を表示するＬＣＤ（Liquid Crystal Display）と、取引の種類の選択、暗証番号や取引金額などを入力するタッチパネルとが一体化されている。
【００２７】
図２は、図１の現金自動預払機１を矢印Ａ方向から見た側面図であり、当該現金自動預払機１の内部構成のうち主に紙幣の処理に関する部分を示している。同図に示したように、現金自動預払機１の内部には、上側に接客部３、紙幣の金種や真偽を判定する鑑別部４及び入金紙幣を一時的に保留する一時保留部５等が設けられており、下側に金種別のカセットでなる紙幣貯蔵部６等が設けられている。図中太線で示す搬送路７は、各部の間で紙幣を短辺方向に沿って搬送する。
【００２８】
この現金自動預払機１は、制御部８により全体を統括制御するようになされている。制御部８は、顧客が紙幣を入金する入金取引を行う場合、表示操作部１５を介して所定の操作入力を受け付けた後、紙幣入出金口１２のシャッタを開いて紙幣を紙幣プール部２０に投入させる。
【００２９】
続いて制御部８は、紙幣プール部２０に投入された紙幣を搬送路７における入金紙幣搬送路７ａを介して鑑別部４へ搬送して鑑別させ、鑑別された紙幣を一時保留部５へ搬送して一時的に保留する一方、取引すべきでないと鑑別されたリジェクト紙幣を紙幣プール部２０へ搬送して顧客に返却する。
【００３０】
その後制御部８は、表示操作部１５を介して顧客に入金金額を確定させ、一時保留部５に保留している紙幣を再び鑑別部４へ搬送して金種を再鑑別させて、鑑別された金種に応じて紙幣貯蔵部６の各カセットへ搬送し収納させるようになされている。
【００３１】
一方制御部８は、顧客に対し紙幣を出金する出金取引を行う場合、鑑別部４から搬送した紙幣を、搬送路７における出金紙幣搬送路７ｂを介して紙幣プール部２０に集積する。その後制御部８は、紙幣入出金口１２のシャッタを開いて、紙幣プール部２０に集積した紙幣を顧客に受け渡す。
【００３２】
［１−２．紙幣プール部の構成］
図３及び図４に、第１の実施の形態による紙幣プール部２０を示す。図３の図中左側が現金自動預払機１の前面側（以下、単に前側とも呼ぶ）であり、図中右側が現金自動預払機１の後面側（以下、単に後側とも呼ぶ）である。また図３は、出金取引において紙幣プール２４に紙幣を集積する集積ポジションに位置している状態の紙幣プール部２０を示している。
【００３３】
紙幣プール部２０は、主に紙幣プール壁２１（２１ａ、２１ｂ及び２１ｃ）、集積ローラ２２（２２ａ及び２２ｂ）及びビルストッパ２３（２３Ｒ及び２３Ｌ）により構成されている。
【００３４】
紙幣プール壁２１は、側断面が略Ｕ字（コ字）形状の部材で形成されており、紙幣プール部２０に入金又は出金する紙幣ＢＬを一時的に蓄積する空間である紙幣プール２４の三側面を形成すると共に紙幣の入出を可能にする開口部２５を形成している。
【００３５】
この紙幣プール壁２１は、図示しない軸、駆動部及び駆動伝達部により、当該軸を支点として図中時計方向および反時計方向に回動自在に構成されている。
【００３６】
顧客との間で紙幣の授受を行う場合、紙幣プール壁２１は図２に実線で示したように紙幣プール２４の開口部２５が紙幣入出金口１２と対向する位置（この位置を顧客ポジションとも呼ぶ）へ回動する。
【００３７】
また、紙幣プール２４へ投入された紙幣を１枚ずつ分離して入金紙幣搬送路７ａへ繰り出す場合、若しくは出金する紙幣を出金紙幣搬送路７ｂを介して紙幣プール２４に集積する場合、紙幣プール壁２１は図２に点線で示したように、紙幣プール２４の開口部２５が入金紙幣搬送路７ａ及び出金紙幣搬送路７ｂに対向する位置（この位置を分離ポジション又は集積ポジションとも呼ぶ）に回動する。
【００３８】
出金紙幣搬送路７ｂ（図３）は、紙幣プール壁２１ａの後方に設けられている。出金紙幣搬送路７ｂ（図３）の出口であり、紙幣プール２４ｂの上部分（後述するビルストッパ２３の上部分）と対向する位置に設けられた集積ローラ２２（２２ａ及び２２ｂ）は、図示しない駆動部により図中時計方向及び反時計方向にそれぞれ回転することにより、出金紙幣搬送路７ｂで搬送された紙幣ＢＬを挟持し紙幣プール２４へ送り出す。
【００３９】
集積ローラ２２ｂの回転軸には、ゴム等の弾性部材で形成された舌片２８が設けられている。この舌片２８は、集積ローラ２２ｂと共に反時計方向に回転することにより、紙幣プール２４へ送り出された紙幣ＢＬの後端部分を、下方向のやや後方へ向けて叩き落とす。
【００４０】
一方入金ローラ２６（２６ａ及び２６ｂ）は、図示しない駆動部により図中時計方向及び反時計方向にそれぞれ回転することにより、紙幣プール２４に集積された紙幣ＢＬを１枚ずつ分離して入金紙幣搬送路７ａへ搬送する。
【００４１】
ところで紙幣プール壁２１ｂ（図４）には、紙幣プール２４が集積ポジションに位置している際に、当該紙幣プール壁２１ｂに沿って略鉛直方向に延在する直方体でなる一対のビルストッパ２３（２３Ｒ及び２３Ｌ）が設けられている。ビルストッパ２３Ｒ及び２３Ｌは、紙幣ＢＬの長辺方向の長さよりも短い間隔をもって、左右方向に沿って１つずつ設けられている。ビルストッパ２３（図３）において出金紙幣搬送路７ｂと対向する面である紙幣衝突面２７には、出金紙幣搬送路７ｂから取り込まれた紙幣ＢＬの先端が衝突する。
【００４２】
ビルストッパ２３は、紙幣プール壁２１ｂに設けられた回動軸３１においてその下端部を支点として回動自在に構成され、弾性部材で形成された図示しないスプリング機構により紙幣プール２４の開口部２５側（後側）に付勢されると共に図示しない係止部材でその付勢が所定の位置で規制されている。ビルストッパ２３は、出金紙幣搬送路７ｂから取り込まれた紙幣ＢＬの先端が紙幣衝突面２７に衝突すると、回動軸３１を支点として紙幣プール壁２１ｂ側（前側）に回動する。
【００４３】
これによりビルストッパ２３は、出金紙幣搬送路７ｂから取り込まれた紙幣ＢＬの先端が紙幣衝突面２７に衝突した際の衝撃を吸収し、紙幣ＢＬが強くバウンドしてしまうことを抑止すると共に、紙幣ＢＬに傷を付けてしまうことを防止することができる。
【００４４】
［１−３．ビルストッパの構成］
図５と、当該図５におけるＢ部分の部分斜視図を図６に示すように、ビルストッパ２３における紙幣衝突面２７には、第１切欠溝５０ａ（５０ａ１、５０ａ２及び５０ａ３）と第２切欠溝５０ｂ（５０ｂ１及び５０ｂ２）との２種類の切欠溝５０が上下方向に複数本並んで刻設されている。
【００４５】
この切欠溝５０は、集積ローラ２２から紙幣ＢＬが放出される放出方向に直交する、紙幣ＢＬの幅方向（すなわち紙幣プール部２０における左右方向）に延在する断面Ｖ字形状となっている。
【００４６】
切欠溝５０は、支持面５１と傾斜面５２とから構成されている。支持面５１は、略鉛直方向に延在する紙幣衝突面２７に対し略直交するよう当該紙幣衝突面２７から前方向に向かってビルストッパ２３を削るよう水平方向に形成されている。傾斜面５２は、支持面５１の上方において、当該支持面５１に対し所定の傾斜角度ＡＧＲを持って紙幣衝突面２７から前方向に向かってビルストッパ２３を削るよう形成されている。以下では、支持面５１と傾斜面５２とが接する部分を凹部５３とも呼ぶ。
【００４７】
また、紙幣衝突面２７における切欠溝５０の上下方向の長さを溝高さＨＧＲと、紙幣衝突面２７から凹部５３までの前後方向の長さを溝深さＤＧＲと呼ぶ。さらに、切欠溝５０の大きさとは、溝高さＨＧＲ又は溝深さＤＧＲ、若しくは溝高さＨＧＲ及び溝深さＤＧＲのことを示す。
【００４８】
紙幣衝突面２７には、第１切欠溝５０ａ及び第２切欠溝５０ｂの２種類の大きさの切欠溝５０が刻設されており、第１切欠溝５０ａはビルストッパ２３における上部分に、第２切欠溝５０ｂはビルストッパ２３における下部分に刻設されている。
【００４９】
第２切欠溝５０ｂの溝深さＤＧＲ２は、第１切欠溝５０ａの溝深さＤＧＲ１よりも大きく形成されている。また、第２切欠溝５０ｂの溝高さＨＧＲ２は、第１切欠溝５０ａの溝高さＨＧＲ１よりも大きく形成されている。また、本実施の形態においては、第１切欠溝５０ａの傾斜角度ＡＧＲ１よりも、第２切欠溝５０ｂの傾斜角度ＡＧＲ２の方が小さく形成されている。
【００５０】
このようにビルストッパ２７には、第１切欠溝５０ａの下方において、当該第１切欠溝５０ａよりも溝深さＤＧＲ及び溝高さＨＧＲが大きい第２切欠溝５０ｂが刻設されている。
【００５１】
［１−４．動作及び効果］
以上の構成において現金自動預払機１は、紙幣ＢＬを顧客に出金する場合、制御部８の制御により紙幣プール壁２１を集積ポジションに回動させる。続いて現金自動預払機１は集積ローラ２２を回転させることにより、出金紙幣搬送路７ｂから搬送された紙幣ＢＬを図３に示したように紙幣プール２４へ送り出す。
【００５２】
紙幣ＢＬは図中前方向へ放出され、後端が出金紙幣搬送路７ｂ及び集積ローラ２２から外れ紙幣プール２４内へ送り出されると共に、その先端がビルストッパ２３の紙幣衝突面２７に衝突する。
【００５３】
現金自動預払機１は、舌片２８で紙幣ＢＬの後端部分を紙幣プール壁２１ｃ側（すなわち下方向）に叩き落とすことにより、後続の紙幣ＢＬが紙幣プール２４内へ送り出される前に紙幣プール壁２１ｃ上に紙幣ＢＬを集積する。
【００５４】
このように現金自動預払機１は、複数の紙幣ＢＬをそれぞれの面方向がほぼ水平方向に沿いつつ互いに上下方向に重なるよう紙幣プール２４内部に集積する。
【００５５】
ところで、コシがあり変形していない正常な紙幣は、通常紙幣衝突面２７の上部分に衝突し、カールしていたり、よれたりして形状が異常な紙幣は、紙幣衝突面２７の下部分に衝突する傾向がある。
【００５６】
ここで、紙幣衝突面２７の下部分に設けられた切欠溝５０が仮に小さかった場合、紙幣衝突面２７の下部分に衝突した異常紙幣は、切欠溝５０に入り込まずに紙幣衝突面２７を滑り落ちてしまう可能性がある。
【００５７】
これに対し本実施の形態による紙幣プール部２０は、紙幣衝突面２７における下部分に、異常紙幣が入り込む十分な大きさを有する第２切欠溝５０ｂを設けるようにした。これにより、紙幣プール部２０は、異常な形状により紙幣衝突面２７における下部分に衝突した異常紙幣が、紙幣衝突面２７を滑り落ちてしまうことを防止することができる。
【００５８】
また、先端がめくれてりしている異常な紙幣は、紙幣衝突面２７の上部分に衝突する場合がある。
【００５９】
そのような異常紙幣が、図７に示すように、紙幣衝突面２７の上部分に形成された第１切欠溝５０ａにおける第１切欠溝５０ａ２と５０ａ３との間に衝突したとする。
【００６０】
このとき、紙幣ＢＬは第１切欠溝５０ａ３には入り込まずに落下してしまうが、当該第１切欠溝５０ａ３の下方に位置する第２切欠溝５０ｂ１において、傾斜面５２に沿いながら入り込み、凹部５３に当接して、ほぼ水平な状態となる。
【００６１】
続いて現金自動預払機１は、第２切欠溝５０ｂ１により先端を支持した紙幣ＢＬを、舌片２８により叩き落とす。
【００６２】
このように現金自動預払機１は、紙幣衝突面２７における上部分に衝突した異常紙幣を、小型の第１切欠溝５０ａでは支持できなくても、当該第１切欠溝５０ａの下方に設けられた大型の第２切欠溝５０ｂで支持することにより、異常紙幣が紙幣衝突面２７を滑り落ちてしまうことを防止することができる。
【００６３】
ここで仮に、紙幣衝突面２７の上部分に形成される切欠溝も大きくしてしまえば、異常紙幣は当該切欠溝に入り込み易くなる。このため、自動現金預払機１は、異常紙幣が紙幣衝突面２７を滑り落ちることを防止できる。
【００６４】
しかしながらそのような場合、異常紙幣のみならず、紙幣衝突面２７の上部分に衝突する正常紙幣までも、大きな切欠溝に入り込んでしまう。
【００６５】
ここで、紙幣ＢＬが切欠溝に当接し舌片２８により叩き落とされる際、切欠溝から掻き出されるため、紙幣ＢＬはある程度ダメージを受けてしまうが、切欠溝の溝深さＤＧＲが大きいほど掻き出される距離も長くなり、ダメージも大きくなると考えられる。
【００６６】
このため、紙幣衝突面２７の上部分に形成する切欠溝を大きくしてしまうと、ビルストッパ２３は、正常紙幣に対し、小さな切欠溝では与えることのない過剰なダメージまでも与えてしまい、正常紙幣を破損させてしまう可能性がある。
【００６７】
これに対し本実施の形態によるビルストッパ２３は、小型の第１切欠溝５０ａの下方に大型の第２切欠溝５０ｂを設けるようにした。
【００６８】
このように現金自動預払機１は、紙幣衝突面２７における上部分に衝突する正常紙幣を小型の第１切欠溝５０ａで支持することにより紙幣ＢＬへのダメージを抑えると共に、紙幣衝突面２７における上部分に衝突する異常紙幣は、第１切欠溝５０ａに入り込ませることができなくとも、その下方の大型の第２切欠溝５０ｂで支持することにより、確実に集積することができる。
【００６９】
また現金自動預払機１は、紙幣衝突面２７における下部分に衝突する異常紙幣についても、大型の第２切欠溝５０ｂで支持することにより、確実に集積する。
【００７０】
ここで、現金自動預払機１は、切欠溝に入り込んだ紙幣ＢＬを舌片２８で紙幣衝突面２７から後ろ方向に遠ざけながら下方向に叩き落とすので、紙幣衝突面２７の下部分に大型の切欠溝を設けたとしても、当該切欠溝には紙幣は侵入しづらいため、一度切欠溝に支持された紙幣が下方の切欠溝にさらに入ってしまうことはない。このため現金自動預払機１は、紙幣に対し余計なダメージを与えてしまうことを防止することができる。
【００７１】
このように現金自動預払機１は、正常紙幣に対するダメージを抑えながらも、異常紙幣が紙幣衝突面２７を滑り落ちることを防止し、紙幣ＢＬの集積不良を未然に防ぐことができる。
【００７２】
因みに本実施の形態によるビルストッパ２３においては、紙幣衝突面２７に対し略直交する水平方向に支持面５１を設けるようにした。
【００７３】
ここで、例えば紙幣衝突面２７から前方向且つ下方向に向かって支持面５１を設けると、支持面５１が水平方向に沿っている場合と比較して、当該支持面５１と傾斜面５２とが成す傾斜角度ＡＧＲは小さくなる。そのような小さな傾斜角度ＡＧＲでなる凹部５３に対し紙幣ＢＬが衝突すると、当該紙幣ＢＬは凹部５３から大きなダメージを受けてしまう可能性がある。
【００７４】
一方例えば紙幣衝突面２７から前方向且つ上方向に向かって支持面５１を設けると、支持面５１が水平方向に沿っている場合と比較して、支持面５１と傾斜面５２とが成す傾斜角度ＡＧＲは大きくなる。そのように大きな傾斜角度ＡＧＲでなる凹部５３に対し紙幣ＢＬが衝突しても、当該紙幣ＢＬは凹部５３に引っ掛からずに滑り落ちてしまう可能性がある。
【００７５】
そのような点を考慮し、凹部５３が紙幣ＢＬに与えるダメージを抑えながらも、紙幣ＢＬを引っ掛かることができるように、本実施の形態においては、鉛直方向に延在する紙幣衝突面２７に対し直交する水平方向に沿って支持面５１を設けるようにした。
【００７６】
以上の構成によれば、媒体処理装置としての現金自動預払機１における媒体集積装置としての紙幣プール部２０は、媒体支持部としてのビルストッパ２３において出金紙幣搬送路７ｂから集積ローラ２２により放出された紙幣ＢＬの先端を衝突させる紙幣衝突面２７に、当該紙幣ＢＬの放出方向に直交する紙幣ＢＬの幅方向に沿って延設して当該紙幣ＢＬの先端を支持し互いに異なる大きさでなる複数の切欠溝５０を、紙幣ＢＬの面方向に略直交する上下方向に並べて設けるようにした。また紙幣プール部２０は、切欠溝５０に引っ掛かり支持された紙幣ＢＬを舌片２８により叩き落とし、媒体収容部としての紙幣プール２４に収容するようにした。これにより現金自動預払機１は、第１切欠溝５０ａには引っ掛からなかった紙幣ＢＬを、当該第１切欠溝５０ａとは大きさの異なる第２切欠溝５０ｂに引っ掛けることができ、紙幣ＢＬの先端が垂れ下がることを抑止することができる。かくして現金自動預払機１は、紙幣ＢＬの集積不良を防ぎ、信頼性を従来よりも格段に高め得ることができる。
【００７７】
＜２．第２の実施の形態＞
［２−１．ビルストッパの構成］
図１及び図２に示す第２の実施の形態による現金自動預払機１０１は、第１の実施の形態による現金自動預払機１と比べて、紙幣プール部１２０が紙幣プール部２０と異なっているものの、それ以外は同様に構成されている。また、第２の実施の形態による紙幣プール部１２０は、図８に示すビルストッパ１２３が、第１の実施に形態によるビルストッパ２３（図５）と異なっている。
【００７８】
図８に示すように、ビルストッパ１２３における紙幣衝突面１２７には、第１切欠溝１５０ａ（１５０ａ１及び１５０ａ２）、第２切欠溝１５０ｂ（１５０ｂ１及び１５０ｂ２）及び第３切欠溝１５０ｃの３種類の切欠溝１５０がそれぞれ上方から下方へ順番に形成されている。
【００７９】
第２切欠溝１５０ｂの溝深さＤＧＲ２及び溝高さＨＧＲ２は、第１切欠溝１５０ａの溝深さＤＧＲ１及び溝高さＨＧＲ１よりも大きく形成されている。また第３切欠溝１５０ｃの溝深さＤＧＲ３及び溝高さＨＧＲ３は、第２切欠溝１５０ｂの溝深さＤＧＲ２及び溝高さＨＧＲ２よりもさらに大きく形成されている。
【００８０】
また第２の実施の形態においては、第２切欠溝１５０ｂの傾斜角度ＡＧＲ２の方が第１切欠溝１５０ａの傾斜角度ＡＧＲ１よりも小さく形成されており、さらに第３切欠溝１５０ｃの傾斜角度ＡＧＲ３の方が第２切欠溝１５０ｂの傾斜角度ＡＧＲ２よりもさらに小さく形成されている。
【００８１】
このように第２の実施の形態によるビルストッパ１２３の紙幣衝突面１２７には、上方から下方へ向かうに連れて溝深さＤＧＲ及び溝高さＨＧＲが大きくなると共に、傾斜角度ＡＧＲが小さくなる切欠溝１５０が刻設されている。
【００８２】
以上の構成によれば、ビルストッパ１２３の紙幣衝突面１２７の上部分に衝突した異常紙幣は紙幣衝突面１２７を滑り落ちていき、当該異常紙幣が入り込むのに十分な大きさの切欠溝１５０があると、その切欠溝１５０に入り込む。
【００８３】
このようにビルストッパ１２３は、上方から下方に向けて徐々に大型化する切欠溝１５０が刻設されているため、異常紙幣に対して過剰に大きい切欠溝１５０に当該異常紙幣を入れ込むことがない。このため紙幣プール部１２０は、過剰に大型化した切欠溝１５０によって異常紙幣に対し加える必要のない分のダメージまで与えてしまうことを防ぐことができる。これにより紙幣プール部１２０は、信頼性を格段に高め得ることができる。
【００８４】
＜３．他の実施の形態＞
なお上述した第２の実施の形態においては、上方から下方に向かうに連れて溝深さＤＧＲ及び溝高さＨＧＲが大きくなると共に、傾斜角度ＡＧＲが小さくなる切欠溝１５０をビルストッパ１２３の紙幣衝突面１２７に刻設する場合について述べた。
【００８５】
しかしながら本発明はこれに限らず、例えば図９に示すビルストッパ２２３のように、上方から下方に向かうに連れて溝深さＤＧＲ及び溝高さＨＧＲを大きくしながらも、傾斜角度ＡＧＲを変化させないようにしても良い。すなわち、切欠溝２５０の断面形状が相似形を保ったまま、上方から下方に向かって徐々に大きくなるようにしても良い。
【００８６】
また例えば図１０に示すビルストッパ３２３のように、上方から下方に向かうに連れて溝高さＨＧＲを大きくしながらも、溝深さＤＧＲを変化させないようにしても良い。この場合、上方から下方へ向かうに連れて傾斜角度ＡＧＲは大きくなっていく。
【００８７】
このように、切欠溝の溝高さＨＧＲを大きくしていけば、先端部分が下向きに緩くカールしている紙幣ＢＬであっても、当該先端部分が切欠溝に入り込む可能性が高くなっていく。このためビルストッパは、先端部分が下を向きながら紙幣衝突面に沿って落下していくような紙幣についても、切欠溝によって支持することができる。
【００８８】
さらに例えば図１１に示すビルストッパ４２３のように、上方から下方に向かうに連れて溝深さＤＧＲを大きくしながらも、溝高さＨＧＲを変化させないようにしても良い。この場合、上方から下方へ向かうに連れて傾斜角度ＡＧＲは小さくなっていく。
【００８９】
さらに上述した実施の形態においては、切欠溝の断面をＶ字形状とする場合について述べた。しかしながら本発明はこれに限らず、図１２に示すビルストッパ５２３のように、切欠溝５５０の断面を略Ｕ字（コ字）形状としても良い。
【００９０】
ビルストッパ５２３において切欠溝５５０は、支持面５５１、凹面５５４及び傾斜面５５２により構成され、ビルストッパ２３（図５）の切欠溝５０と比較して、切欠溝の前部分において上下方向に凹面５５４が形成されることにより、溝深さが小さくなっている。
【００９１】
支持面５５１は、紙幣衝突面５２７に対し略直交するよう当該紙幣衝突面５２７から前方向に向かってビルストッパ５２３を削るよう水平方向に形成される。凹面５５４は、支持面５５１の前方端部から紙幣衝突面５２７と平行に上方に向かって延設される。傾斜面５５２は、支持面５５１に対し所定の傾斜角度を持って紙幣衝突面５２７から凹面５５４の上端部に向かってビルストッパ５２３を削るよう形成される。
【００９２】
先端がカールしておりビルストッパ２３の第２切欠溝５０ｂでは傾斜面５２に沿って凹部５３まで当該先端が辿り着くことができず適切に支持されなかった紙幣ＢＬであっても、第２切欠溝５５０ｂ（図１２）の場合凹面５５４に沿って先端が落下し支持面５５１に当接する。
【００９３】
これによりビルストッパ５２３は、そのような紙幣ＢＬであっても、第２切欠溝５５０ｂにおける傾斜面５５２及び凹面５５４に沿って紙幣ＢＬを落下させることにより支持することができる。
【００９４】
またビルストッパ５２３は、ビルストッパ２３に対し溝高さＨＧＲを変化させずに、溝深さＤＧＲを小さくしている。これによりビルストッパ５２３は、紙幣ＢＬを切欠溝５５０に入り込ませ易くしながらも、舌片により叩き落とされる際のダメージを軽減することができる。
【００９５】
さらに、例えば溝高さＨＧＲが変化せずに上方から下方に向かうに連れて溝深さＤＧＲが大きくなる切欠溝と、溝深さＤＧＲが変化せずに上方から下方に向かうに連れて溝高さＨＧＲが大きくなる切欠溝とを交互に配置する等、種々の大きさや形状でなる切欠溝を紙幣衝突面において組み合わせても良い。
【００９６】
さらに上述した実施の形態においては、集積ローラ２２から略水平方向に紙幣プール２４内部に放出される紙幣ＢＬに対し、紙幣プール部２０が集積ポジションに位置している際に、略鉛直方向に延在する紙幣衝突面２７において当該略鉛直方向に並ぶように複数種類の切欠溝５０を刻設する場合について述べた。
【００９７】
しかしながら本発明はこれに限らず、鉛直方向から傾斜している紙幣衝突面において、当該傾斜方向に沿って並ぶように複数種類の切欠溝を刻設しても良い。要は、紙幣プール内部に放出された紙幣が紙幣プール壁において底となる部分に集積されていく方向に沿って、紙幣衝突面に切欠溝が刻設されていれば良い。
【００９８】
さらに上述した実施の形態においては、紙幣衝突面において切欠溝を刻設する場合について述べた。しかしながら本発明はこれに限らず、紙幣衝突面において例えば半球状の凸部を突設しても良い。要は、集積ローラにより放出され紙幣衝突面に衝突した紙幣が滑り落ちないように支持し得る形状であれば良い。またその場合、上方から下方に向かうに連れて凸部が大きくなるようにすれば、上方の凸部を滑り落ちてしまった紙幣を、下方の凸部において支持することができる。
【００９９】
さらに上述した実施の形態においては、ビルストッパ２３の紙幣衝突面２７に衝突した紙幣ＢＬの衝撃を、スプリング機構により吸収する場合について述べた。しかしながら本発明はこれに限らず、種々の機構により、紙幣ＢＬの衝撃を吸収するようにして良い。
【０１００】
さらに上述した実施の形態においては、紙幣衝突面に対し直交する支持面を設ける場合について述べた。しかしながら本発明はこれに限らず、支持面は紙幣衝突面に対し直交している必要はなく、要は紙幣が入り込み支持できる形状であれば良い。
【０１０１】
さらに上述した実施の形態においては、ビルストッパ２３の下端部に設けられた回動軸３１を支点としてビルストッパ２３を回動させることにより、紙幣ＢＬが紙幣衝突面２７に衝突した際の衝撃を吸収する場合について述べた。
【０１０２】
しかしながら本発明はこれに限らず、例えばビルストッパ全体を前後方向に移動可能とし、紙幣が紙幣衝突面に衝突した際にビルストッパ全体が前方向に移動することにより、紙幣が紙幣衝突面に衝突した際の衝撃を吸収するようにしても良い。
【０１０３】
またビルストッパは、必ずしも紙幣が衝突した際の衝撃を吸収するために移動可能である必要はなく、紙幣プール壁に移動不可能に固定されていても良い。その場合は、ビルストッパを例えばゴム等の弾性部材により形成し紙幣が衝突した際の衝撃をビルストッパ自体の弾性力により吸収するようにしても良い。
【０１０４】
さらに上述した実施の形態においては、略鉛直方向に延在する直方体でなる一対のビルストッパ２３Ｒ及び２３Ｌを、紙幣ＢＬの長辺方向に沿って１つずつ延在させる場合について述べた。
【０１０５】
しかしながら本発明はこれに限らず、ビルストッパを紙幣ＢＬの長辺方向に沿って３つ以上設けても良い。
【０１０６】
さらに上述した実施の形態においては、紙幣ＢＬを短辺方向に沿って搬送路７により搬送したが、本発明はこれに限らず、長辺方向に沿って搬送しても良い。
【０１０７】
さらに上述した実施の形態においては、現金を取引する現金自動預払機の紙幣プール部において紙幣を集積する際に本発明を適用する場合について述べた。
【０１０８】
しかしながら本発明はこれに限らず、例えば一時保留部５、紙幣貯蔵部６等においても適用して良い。要は、外部から内部に放出された紙状の媒体を集積する装置であれば良い。
【０１０９】
さらに上述した実施の形態においては、媒体として紙幣について述べたが、本発明はこれに限らず、例えば商品券や金券、入場券等のような薄い紙状の媒体であれば良い。
【０１１０】
さらに上述した実施の形態においては、媒体支持部としてのビルストッパ２３又は１２３と、媒体収容部としての紙幣プール壁２１又は１２１とによって媒体集積装置としての紙幣プール部２０又は１２０を構成する場合について述べた。
【０１１１】
さらに上述した実施の形態においては、媒体放出部としての集積ローラ２２と、媒体支持部としてのビルストッパ２３又は１２３と、媒体収容部としての紙幣プール壁２１又は１２１と、媒体繰出部としての入金ローラ２６と、媒体搬送路としての搬送路７とによって媒体処理装置としての現金自動預払機１又は１０１を構成する場合について述べた。
【０１１２】
しかしながら本発明はこれに限らず、その他種々の構成でなる媒体支持部と媒体収容部とによって媒体集積装置を構成するようにしても良い。
【産業上の利用可能性】
【０１１３】
本発明は、搬送された紙幣等の紙状の媒体を集積する種々の装置でも利用できる。
【符号の説明】
【０１１４】
１、１０１……現金自動預払機、２……筐体、３……接客部、５……一時保留部、７ａ……入金紙幣搬送路、７ｂ……出金紙幣搬送路、１２……紙幣入出金口、２０、１２０、６２０……紙幣プール部、２１……紙幣プール壁、２２……集積ローラ、２３、１２３、２２３、３２３、４２３、５２３、６２３……ビルストッパ、２４……紙幣プール、２５……開口部、２６……入金ローラ、２７、１２７……紙幣衝突面、２８……舌片、３１……回動軸、５０、１５０、２５０、３５０、４５０、５５０、６５０……切欠溝、５１……支持面、５２……傾斜面、５３……凹部、５５４……凹面、ＢＬ……紙幣、ＨＧＲ……溝高さ、ＤＧＲ……溝深さ、ＡＧＲ……傾斜角度。
【図１】
0005686059.tif 000002
【図２】
0005686059.tif 000003
【図３】
0005686059.tif 000004
【図４】
0005686059.tif 000005
【図５】
0005686059.tif 000006
【図６】
0005686059.tif 000007
【図７】
0005686059.tif 000008
【図８】
0005686059.tif 000009
【図９】
0005686059.tif 000010
【図１０】
0005686059.tif 000011
【図１１】
0005686059.tif 000012
【図１２】
0005686059.tif 000013
【図１３】
0005686059.tif 000014
【図１４】
0005686059.tif 000015